【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
互いに対向して配置された素子基板と対向基板との間に液晶層を挟持してなる液晶表示装置であって、
前記液晶層が、負の誘電異方性を有する液晶からなり、
前記素子基板の液晶層側に、画素電極と、該画素電極に電気的に接続されたスイッチング素子と、該スイッチング素子に電気的に接続された電極配線とが設けられ、前記対向基板の液晶層側には、前記画素電極と対向配置された対向電極が設けられており、
前記電極配線と前記対向電極とが対向する領域のうち少なくとも一部の領域において、前記対向電極が、前記液晶層側に突出した突出部分を有することを特徴とする液晶表示装置。
【請求項２】
１つのドット領域内に透過表示を行う透過表示領域と反射表示を行う反射表示領域とが設けられ、前記両領域における液晶層厚が、当該ドット領域内に設けられた液晶層厚調整層によって互いに異ならされており、
前記突出部分における液晶層厚が、前記透過表示領域の液晶層厚より薄く形成されていることを特徴とする請求項１に記載の液晶表示装置。
【請求項３】
前記対向電極が突出して形成された領域における前記液晶層厚が、前記反射表示領域における液晶層厚より薄く形成されていることを特徴とする請求項２に記載の液晶表示装置。
【請求項４】
前記対向電極が突出して形成された領域が、前記電極配線に沿って延びる帯状の領域とされたことを特徴とする請求項１から３のいずれか１項に記載の液晶表示装置。
【請求項５】
前記対向電極が、該対向電極と対向基板との間に設けられた凸状部材により前記液晶層側に突出されていることを特徴とする請求項１から４のいずれか１項に記載の液晶表示装置。
【請求項６】
前記凸状部材が、前記液晶層厚調整層上に設けられていることを特徴とする請求項５に記載の液晶表示装置。
【請求項７】
前記凸状部材と、前記液晶層厚調整層とが一体に同一材料にて形成されていることを特徴とする請求項５に記載の液晶表示装置。
【請求項８】
前記電極配線が、前記画素電極の辺端に沿って延びるように配設され、
前記凸状部材が、前記画素電極と平面的に近接し且つ前記電極配線に重なる領域に形成されていることを特徴とする請求項５から７のいずれか１項に記載の液晶表示装置。
【請求項９】
前記画素電極が、複数の島状部と該島状部間を電気的に接続する連結部とを備えてなり、
前記凸状部材が、島状部と平面的に近接し且つ前記電極配線に重なる領域に形成されていることを特徴とする請求項８に記載の液晶表示装置。
【請求項１０】
複数の前記ドット領域が配列されてなる表示領域を備え、
前記ドット領域の配列方向において、前記複数のドット領域のうち隣接するドット領域同士の透過表示領域同士が隣接されており、
前記凸状部材が、隣接する前記透過表示領域間の境界領域に配設されていることを特徴とする請求項５から９のいずれか１項に記載の液晶表示装置。
【請求項１１】
前記隣接する透過表示領域の境界領域において、前記凸状部材が部分的に形成されていることを特徴とする請求項１０に記載の液晶表示装置。
【請求項１２】
前記画素電極又は対向電極に、電圧印加時の液晶分子の配向方向を制御する配向制御手段が設けられ、
前記配向制御手段が、前記画素電極又は対向電極の一部を切り欠いてなる電極スリット、又は前記素子基板又は対向基板の液晶層側面に突出形成された誘電体突起であることを特徴とする請求項１から１１のいずれか１項に記載の液晶表示装置。
【請求項１３】
前記対向電極が突出形成された領域に、遮光膜が形成されていることを特徴とする請求項１から１２のいずれか１項に記載の液晶表示装置。
【請求項１４】
互いに対向して配置された素子基板と対向基板との間に液晶層を挟持してなり、１つのドット領域内に透過表示を行う透過表示領域と反射表示を行う反射表示領域とが設けられ、前記素子基板上に、スイッチング素子と、該スイッチング素子に電気的に接続された電極配線及び画素電極とが形成された液晶表示装置の製造方法であって、
前記対向基板上に、前記透過表示領域と反射表示領域とで液晶層厚を異ならせるための液晶層厚調整層を形成する工程と、該液晶層厚調整層上に対向電極を設ける工程と、を含み、
前記液晶層厚調整層を形成する工程において、前記素子基板と貼り合わせた状態にて前記電極配線に対向配置される凸状部材を、前記液晶層厚調整層と同一材料にて同時に形成することを特徴とする液晶表示装置の製造方法。
【請求項１５】
請求項１から１３のいずれか１項に記載の液晶表示装置を備えたことを特徴とする電子機器。
【手続補正２】
【補正対象書類名】明細書
【補正対象項目名】０００８
【補正方法】変更
【補正の内容】
【０００８】
本発明は、上記課題を解決するために、互いに対向して配置された素子基板と対向基板との間に液晶層を挟持してなる液晶表示装置であって、前記液晶層が、負の誘電異方性を有する液晶からなり、前記素子基板の液晶層側に、画素電極と、該画素電極に電気的に接続されたスイッチング素子と、該スイッチング素子に電気的に接続された電極配線とが設けられ、前記対向基板の液晶層側には、前記画素電極と対向配置された対向電極が設けられており、前記電極配線と前記対向電極とが対向する領域のうち少なくとも一部の領域において、前記対向電極が、前記液晶層側に突出した突出部分を有することを特徴とする液晶表示装置を提供する。
この構成によれば、スイッチング素子に電力を供給するべく形成された電極配線に対して、対向基板側の電極が、画像表示領域よりも近接して配置されるので、電極配線により液晶層中に生じる電界をこの近接配置された対向電極に集中させることができる。これにより、上記電界ベクトルによる影響を最小限に抑えることができ、もって液晶配向の乱れた領域が画像表示領域まで及ばないようにすることができ、もって広視角、高コントラストであって、高画質の表示を得ることができる。
【手続補正３】
【補正対象書類名】明細書
【補正対象項目名】０００９
【補正方法】変更
【補正の内容】
【０００９】
本発明の液晶表示装置では、１つのドット領域内に透過表示を行う透過表示領域と反射表示を行う反射表示領域とが設けられ、前記両領域における液晶層厚が、当該ドット領域内に設けられた液晶層厚調整層によって互いに異ならされており、前記突出部分における液晶層厚が、前記透過表示領域の液晶層厚より薄く形成されている構成とすることが好ましい。
この構成によれば、マルチギャップ構造を備えた半透過反射型液晶表示装置において、電極配線上の液晶層厚が透過表示領域より薄くされるので、電極配線の電界ベクトルの影響を抑えることができ、もって良好な表示を得ることができる。この構成では、前記対向電極が突出される領域を、透過表示領域に接して設けることが好ましい。透過表示領域では液晶層厚が比較的厚くなっているため、電極配線の電界ベクトルの影響を受けやすいが、突出された対向電極によって電界ベクトルの影響を受けにくくすることができる。
【手続補正４】
【補正対象書類名】明細書
【補正対象項目名】００１０
【補正方法】変更
【補正の内容】
【００１０】
さらに本発明の液晶表示装置では、前記対向電極が突出して形成された領域における前記液晶層厚が、前記反射表示領域における液晶層厚より薄く形成されていることが好ましい。このように電極配線上の液晶層厚を反射表示領域より薄くすれば、さらに電極配線の電界 
ベクトルの影響を抑えることができ、良好な表示を得ることができる。
【手続補正５】
【補正対象書類名】明細書
【補正対象項目名】００１１
【補正方法】変更
【補正の内容】
【００１１】
本発明の液晶表示装置では、前記対向電極が突出して形成された領域が、前記電極配線に沿って延びる帯状の領域とされていることが好ましい。この構成によれば、前記電界ベクトルの影響をより効果的に抑えることができる。
【手続補正６】
【補正対象書類名】明細書
【補正対象項目名】００１５
【補正方法】変更
【補正の内容】
【００１５】
本発明の液晶表示装置では、前記電極配線が、前記画素電極の辺端に沿って延びるように配設され、前記凸状部材が、前記画素電極と平面的に近接し且つ前記電極配線に重なる領域に形成されていることが好ましい。このような構成とすることで、電極配線に近接して配置され、電界ベクトルの影響を受けやすい領域の液晶の配向乱れを優先的に防止する構成となり、凸状部材による効果を効率的に得られるようになる。
【手続補正７】
【補正対象書類名】明細書
【補正対象項目名】００１６
【補正方法】変更
【補正の内容】
【００１６】
本発明の液晶表示装置では、前記画素電極が、複数の島状部と該島状部間を電気的に接続する連結部とを備えてなり、前記凸状部材が、島状部と平面的に近接し且つ前記電極配線に重なる領域に形成されていることが好ましい。この構成によれば、ドット領域内で複数の放射状ドメインを形成するべく画素電極を複数の島状部に分割する場合において、凸状部材による効果を効率的に得られるようになる。
【手続補正８】
【補正対象書類名】明細書
【補正対象項目名】００１７
【補正方法】変更
【補正の内容】
【００１７】
本発明の液晶表示装置では、複数の前記ドット領域が配列されてなる表示領域を備え、前記ドット領域の配列方向において、前記複数のドット領域のうち隣接するドット領域同士の透過表示領域同士が隣接されており、前記凸状部材が、隣接する前記透過表示領域間の境界領域に配設されている構成とすることもできる。この構成によれば、液晶層厚が比較的厚く、従って電極配線の電界ベクトルの影響を受けやすい透過表示領域について、効果的に電界ベクトルによる液晶の配向乱れを防止することができ、もって良好な透過表示を得ることが可能になる。
【手続補正９】
【補正対象書類名】明細書
【補正対象項目名】００２０
【補正方法】変更
【補正の内容】
【００２０】
本発明の液晶表示装置では、前記対向電極が突出形成された領域に、遮光膜が形成されていることが好ましい。この構成によれば、画像表示領域とその他の領域（非表示領域）とのコントラストを高めることができる。
【手続補正１０】
【補正対象書類名】明細書
【補正対象項目名】００２１
【補正方法】変更
【補正の内容】
【００２１】
本発明の液晶表示装置の製造方法は、互いに対向して配置された素子基板と対向基板との間に液晶層を挟持してなり、１つのドット領域内に透過表示を行う透過表示領域と反射表示を行う反射表示領域とが設けられ、前記素子基板上に、スイッチング素子と、該スイッチング素子に電気的に接続された電極配線及び画素電極とが形成された液晶表示装置の製造方法であって、前記対向基板上に、前記透過表示領域と反射表示領域とで液晶層厚を異ならせるための液晶層厚調整層を形成する工程と、該液晶層厚調整層上に対向電極を設ける工程と、を含み、前記液晶層厚調整層を形成する工程において、前記素子基板と貼り合わせた状態にて前記電極配線に対向配置される凸状部材を、前記液晶層厚調整層と同一材料にて同時に形成することを特徴としている。
この製造方法によれば、マルチギャップ構造を成す液晶層厚調整層を形成する際に、対向電極を素子基板側へ突出させるための凸状部材を設けるので、従来のマルチギャップ構造の液晶表示装置の製造工程に対して工数を増加させることなく表示の高画質化を実現できる。